(57)【要約】【課題】鋼を基礎とする空調システム、空気除湿器、吸収式冷凍機等で使用する場合に、先行技術の吸収媒体よりも良好な伝熱を保証する吸収媒体を提供する。【解決手段】本発明は、湿ったガス混合物を除湿する方法に関する。更に、本発明は、湿ったガス混合物を除湿する装置、及び本発明による方法におけるこの装置の使用に関する。【選択図】図１
2017221940.tif 000002
【特許請求の範囲】
【請求項１】
装置Ｖ1中で、
（ａ）湿ったガス混合物Ｇを、
【化１】
2017221940.tif 000009
の構造（Ｉ）の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含む水性液体吸収媒体ＡVEと接触させ、
ＡVEは、前記湿ったガス混合物Ｇから水を少なくとも部分的に吸収して、
ＡVEと比べて高められた水含有率を示す水性液体吸収媒体ＡVE1と、湿ったガス混合物Ｇと比べて相対的に低い水含有率を示すガス混合物Ｇ1とを提供する工程、
（ｂ）ＡVE1から水を部分的に除去して、ＡVE1と比べて相対的に低い水含有率を示す水性液体吸収媒体ＡVE2を得る工程を含み、
ここで、装置Ｖ1は、少なくとも部分的に、構造物の鋼材料からなる表面Ｏstを備え、この装置Ｖ1中で、ＡVE、ＡVE1、ＡVE2の少なくとも１種が、前記構造物の鋼材料からなる表面Ｏstと、少なくとも１つの接触面を介して接触する、湿ったガス混合物Ｇ、特に湿った空気を除湿する方法において、
Ｑ+は、ジアルキルイミダゾリウムカチオンであり、
Ａ-は、Ｒ*ＣＯＯ-、Ｒ′ＳＯ3-、ＨＳＯ4-、Ｒ″ＳＯ4-からなる群から選択されるアニオンであり、Ｒ*、Ｒ′、Ｒ″、ＲA、ＲB、ＲC、Ｒ1、Ｒ2、Ｒ3は、互いに無関係に、アルキル基であり、
Ｍ+は、アルカリ金属イオンであることを特徴とする、湿ったガス混合物Ｇ、特に湿った空気を除湿する方法。
【請求項２】
Ｑ+は、ジアルキルイミダゾリウムカチオンであり、ここで、アルキル基は、互いに無関係に、１〜１０の炭素原子を有し、かつ、Ｒ*、Ｒ′、Ｒ″、ＲA、ＲB、ＲC、Ｒ1、Ｒ2、Ｒ3は、互いに無関係に、１〜１０の炭素原子を有するアルキル基であり、かつ、Ｍ+は、Ｌｉ+、Ｋ+又はＮａ+である、請求項１に記載の方法。
【請求項３】
前記塩Ｓは、Ｑ+Ａ-、Ｑ+（Ｒ1Ｏ）2ＰＯ2-の群から選択され、かつＱ+は、ジアルキルイミダゾリウムカチオンであり、ここでアルキル基は、互いに無関係に、１〜６の炭素原子を有し、かつＡ-は、Ｒ*ＣＯＯ-、Ｒ′ＳＯ3-、Ｒ″ＳＯ4-からなる群から選択されるアニオンであり、Ｒ*、Ｒ1、Ｒ′、Ｒ″、ＲA、ＲB、ＲCは、互いに無関係に、１〜６の炭素原子を有するアルキル基である、請求項１又は２に記載の方法。
【請求項４】
ＲA、ＲB、ＲCは、互いに無関係に、メチル、エチルから選択される、請求項１から３までのいずれか１項に記載の方法。
【請求項５】
前記水性液体吸収媒体ＡVE中で、構造（Ｉ）の全てのトリアルキルホスファートと全ての塩Ｓとの全質量は、前記水溶液の全質量を基準として、６５質量％〜９５質量％の範囲にある、請求項１から４までのいずれか１項に記載の方法。
【請求項６】
前記水性液体吸収媒体ＡVE中で、構造（Ｉ）の全てのトリアルキルホスファートの全質量の、全ての塩Ｓの全質量に対する比率は、１：９９９９〜１：９の範囲にある、請求項１から５までのいずれか１項に記載の方法。
【請求項７】
構成要素
（ｉ）
【化２】
2017221940.tif 000010
の構造（Ｉ）の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含む、水性液体吸収媒体ＡVO、
（ｉｉ）前記湿ったガス混合物と前記水性液体吸収媒体ＡVOとを接触するために設置された少なくとも１つの水吸収ユニットＷabs2、
（ｉｉｉ）熱交換器Ｗx2を備え、かつ前記水性液体吸収媒体ＡVOから水を少なくとも部分的に除去するために設置された少なくとも１つの水脱着ユニットＷdes2、
（ｉｖ）及び、前記水吸収ユニットＷabs2を前記水脱着ユニットＷdes2と接続し、かつ前記水性液体吸収媒体ＡVOを循環させることができる循環路Ｕ2を備え、
ここで、水吸収ユニットＷabs2、水脱着ユニットＷdes2、循環路Ｕ2の構成要素の少なくとも１つが、少なくとも部分的に、構造物の鋼材料からなる表面Ｏstを備え、かつ
ここで、装置Ｖ2中に、前記水性液体吸収媒体ＡVOが、前記構造物の鋼材料からなる表面Ｏstと接触する少なくとも１つの接触面が配置された、湿ったガス混合物を除湿する装置Ｖ2において、
Ｑ+は、ジアルキルイミダゾリウムカチオンであり、
Ａ-は、Ｒ*ＣＯＯ-、Ｒ′ＳＯ3-、ＨＳＯ4-、Ｒ″ＳＯ4-からなる群から選択されるアニオンであり、Ｒ*、Ｒ′、Ｒ″、ＲA、ＲB、ＲC、Ｒ1、Ｒ2、Ｒ3は、互いに無関係に、アルキル基であり、かつＭ+は、アルカリ金属イオンであることを特徴とする、湿ったガス混合物を除湿する装置Ｖ2。
【請求項８】
Ｑ+は、ジアルキルイミダゾリウムカチオンであり、ここで、アルキル基は、互いに無関係に、１〜１０の炭素原子を有し、かつ、Ｒ*、Ｒ′、Ｒ″、ＲA、ＲB、ＲC、Ｒ1、Ｒ2、Ｒ3は、互いに無関係に、１〜１０の炭素原子を有するアルキル基であり、かつ、Ｍ+は、Ｌｉ+、Ｋ+又はＮａ+である、請求項７に記載の装置Ｖ2。
【請求項９】
前記塩Ｓは、Ｑ+Ａ-、Ｑ+（Ｒ1Ｏ）2ＰＯ2-の群から選択され、かつＱ+は、ジアルキルイミダゾリウムカチオンであり、ここでアルキル基は、互いに無関係に、１〜６の炭素原子を有し、かつＡ-は、Ｒ*ＣＯＯ-、Ｒ′ＳＯ3-、Ｒ″ＳＯ4-からなる群から選択されるアニオンであり、Ｒ*、Ｒ1、Ｒ′、Ｒ″、ＲA、ＲB、ＲCは、互いに無関係に、１〜６の炭素原子を有するアルキル基である、請求項７又は８に記載の装置Ｖ2。
【請求項１０】
ＲA、ＲB、ＲCは、互いに無関係に、メチル、エチルから選択される、請求項７から９までのいずれか１項に記載の装置Ｖ2。
【請求項１１】
前記水性液体吸収媒体ＡVO中で、構造（Ｉ）の全てのトリアルキルホスファートと全ての塩Ｓとの全質量は、前記水溶液の全質量を基準として、６５質量％〜９５質量％の範囲にある、請求項７から１０までのいずれか１項に記載の装置Ｖ2。
【請求項１２】
前記水性液体吸収媒体ＡVO中で、構造（Ｉ）の全てのトリアルキルホスファートの全質量の、全ての塩Ｓの全質量に対する比率は、１：９９９９〜１：９の範囲にある、請求項７から１１までのいずれか１項に記載の装置Ｖ2。
【請求項１３】
他の構成要素として、凝縮器、蒸発器、及び冷却剤を備え、前記冷却剤は水である、請求項７から１２までのいずれか１項に記載の装置Ｖ2を備えた吸収ヒートポンプ。
【発明の詳細な説明】
【技術分野】
【０００１】
本発明は、湿ったガス混合物を除湿する方法に関する。更に、本発明は、湿ったガス混合物を除湿する装置、及び本発明による方法におけるこの装置の使用に関する。
【背景技術】
【０００２】
本発明の背景
湿ったガス混合物の除湿は、多様な技術分野で必要である。
【０００３】
例えば、建物又は車両の換気及び空調は、一般に、冷却されるべき空気は、しばしば、所望の温度に冷却する間に温度が露点温度よりも低くなるほど湿っているため、空気の冷却ばかりでなく、空気の除湿も必要である。したがって、従来の空調システムでは、空気の除湿が、電力消費の大部分を占めている。
【０００４】
建物用の空調システムの電力消費は、乾燥媒体を用いて水を吸着又は吸収することで空気を除湿し、引き続き水を含む乾燥媒体を、再び水が脱着する温度に加熱することで再生することにより低減される。固体吸着剤による吸着と比べて、液体吸収媒体中での吸収の利点は、空気除湿を、装置の複雑さを減らしかつ僅かな乾燥媒体で行うことができ、水を含む乾燥媒体の再生を、太陽熱を用いて容易に実施できることにある。
【０００５】
湿ったガス混合物の除湿が用いられる他の技術分野は、吸収式冷凍機の分野である（「吸収ヒートポンプ」としても公知；原理は、国際公開第２０１４／０７９６７５号（WO 2014/079675 A1）に記載されている）。ここで、湿ったガス混合物は、低圧下での水の蒸発の間に形成される。こうして形成された水蒸気は、湿ったガス混合物から除去する必要があり、こうして、次いで、この混合物は、新たなサイクルに通すために水蒸気に戻すことができる。ここでも、液体吸収媒体中での吸収は、固体吸着媒体による吸着よりも好ましい。
【０００６】
最後に、湿ったガス混合物の除湿は、例えば、独国特許出願公開第１０２０１０００４７７９号明細書（DE 10 2010 004 779 A1）に記載されているような天然ガス抽出の分野でも重要である。
【０００７】
一般的な空気又は天然ガス除湿プラント中に及び冷凍機中に導入される材料の例は、チタン、銅及び貴金属を含む。
【０００８】
市販の空調システム中で、液体吸収媒体としてこのために使用される臭化リチウム、塩化リチウム又は塩化カルシウムの水溶液は、空調システムにおいて一般的に使用される構造物の金属材料に対して腐食性であり、したがって、構造物の特別な高価な材料の使用が必要であるという欠点を有する。この問題は、鋼及びステンレス鋼にも該当する。この溶液は、更に、吸収媒体の塩の結晶化による問題を引き起こすことがある。
【０００９】
Y. Luo et al., Appl. Thermal Eng. 31 (2011) 2772-2777は、空気除湿のために、臭化リチウムの水溶液の代わりに、イオン液体の１−エチル−３−メチルイミダゾリウムテトラフルオロボラートを使用することを提案している。しかしながら、このイオン液体は、僅かな吸収能力を示すだけであるという欠点を有する。
【００１０】
Y. Luo et al., Solar Energy 86 (2012) 2718-2724は、空気除湿のために、１−エチル−３−メチルイミダゾリウムテトラフルオロボラートの代わりに、イオン液体の１，３−ジメチルイミダゾリウムアセタートを提案している。しかしながら、１，３−ジメチルイミダゾリウムアセタートは、安定ではなく、脱着の間にかなり分解が拡がる。
【００１１】
この問題は、米国特許出願公開第２０１１／０２４７４９４号明細書（US 2011/0247494 A1）、段落［０１４５］に提案されたイオン液体についても該当する。この文献は、酢酸トリメチルアンモニウム又は１−エチル−３−メチルイミダゾリウムアセタートを液体乾燥剤として塩化リチウム水溶液の代わりに使用することを提案している。実施例３は、一連の他のイオン液体について湿った空気からの水の吸収量を比較している。
【００１２】
中国特許出願公開第１０２３３５５４５号明細書（CN 102335545 A）は、空気除湿についての吸収媒体としての上述の問題を有しないイオン液体の水溶液を記載している。中国特許出願公開第１０２３３５５４５号明細書（CN 102335545 A）は、主に、鋼を基礎とする空気除湿器を記載する。記載されたイオン液体は、とりわけ、１，３−ジメチルイミダゾリウムジメチルホスファート、１−エチル−３−メチルイミダゾリウムジメチルホスファート及び１−ブチル−３−メチルイミダゾリウムジメチルホスファートである。これらの吸収媒体は、鋼に対して非腐食性であることが報告されている。しかしながら、有効な空気除湿のために重要な伝熱は、鋼を基礎とする装置中で、中国特許出願公開第１０２３３５５４５号明細書（CN 102335545 A）に列挙されたイオン液体では比較的低い。
【００１３】
更に、電熱は、吸収媒体を選択する場合に考慮しなければならない重要なパラメータである。したがって、空気除湿の分野で、吸収媒体自体と、空気除湿器の他の構成要素との間での特に良好な伝熱を保証する吸収媒体が、特に容易に使用可能である。金属構成要素（例えば鋼）が使用される空気除湿器中で、この伝熱は、吸収媒体と金属表面との間で少なくとも部分的に生じる。
【先行技術文献】
【特許文献】
【００１４】
【特許文献１】国際公開第２０１４／０７９６７５号
【特許文献２】独国特許出願公開第１０２０１０００４７７９号明細書
【特許文献３】米国特許出願公開第２０１１／０２４７４９４号明細書
【特許文献４】中国特許出願公開第１０２３３５５４５号明細書
【非特許文献】
【００１５】
【非特許文献１】Y. Luo et al., Appl. Thermal Eng. 31 (2011) 2772-2777
【非特許文献２】Y. Luo et al., Solar Energy 86 (2012) 2718-2724
【発明の概要】
【発明が解決しようとする課題】
【００１６】
したがって、本発明は、この目的のために、鋼を基礎とする空調システム、空気除湿器、吸収式冷凍機等で使用する場合に、先行技術の吸収媒体よりも良好な伝熱を保証する吸収媒体を提供することにある。
【００１７】
この目的を達成する吸収媒体は、意外にも見出された。
【図面の簡単な説明】
【００１８】
【図１】図１は、本発明による装置Ｖ2／Ｖ1の態様を示す。
【図２】図２は、装置Ｖ2が組み込まれている吸収式冷凍機を図式的に示す。
【発明を実施するための形態】
【００１９】
本発明の詳細な説明
したがって、本発明は、第１の態様において、装置Ｖ1中で、
（ａ）湿ったガス混合物Ｇを、
【化１】
2017221940.tif 000003
の構造（Ｉ）の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓの混合物を含む水性液体吸収媒体ＡVEと接触させ、
ＡVEは、湿ったガス混合物Ｇから水を少なくとも部分的に吸収して、
ＡVEと比べて高められた水含有率を示す水性液体吸収媒体ＡVE1と、湿ったガス混合物Ｇと比べて相対的に低い水含有率を示すガス混合物Ｇ1とを提供する工程、
（ｂ）ＡVE1から水を部分的に除去して、ＡVE1と比べて相対的に低い水含有率を示す水性液体吸収媒体ＡVE2を得る工程を含み、
ここで、装置Ｖ1は、少なくとも部分的に、構造物の鋼材料からなる表面Ｏstを備え、この装置Ｖ1中で、ＡVE、ＡVE1、ＡVE2の少なくとも１種が、構造物の鋼材料からなる表面Ｏstと、少なくとも１つの接触面を介して接触する、湿ったガス混合物Ｇ、特に湿った空気を除湿する方法において、
Ｑ+は、ジアルキルイミダゾリウムカチオンであり、ここで、特にアルキル基は、互いに無関係に、１〜１０の炭素原子を有し、
Ａ-は、Ｒ*ＣＯＯ-、Ｒ′ＳＯ3-、ＨＳＯ4-、Ｒ″ＳＯ4-からなる群から選択されるアニオンであり、ここで、Ｒ*、Ｒ′、Ｒ″、ＲA、ＲB、ＲC、Ｒ1、Ｒ2、Ｒ3は、互いに無関係に、特に１〜１０、好ましくは１〜８、より好ましくは１〜６、更により好ましくは１〜４、更により好ましくは１又は２の炭素原子を有するアルキル基であり、
かつ、Ｍ+は、アルカリ金属イオン、好ましくはＬｉ+、Ｋ+又はＮａ+、更により好ましくはＫ+又はＮａ+であることを特徴とする、湿ったガス混合物Ｇ、特に湿った空気を除湿する方法に関する。
【００２０】
この方法で使用される湿ったガス混合物Ｇは、特に限定されない。「湿った」とは、本発明との関連で、「水、特に水蒸気を含む」を意味するものと解釈される。
【００２１】
「水性」とは、特別な溶液（つまり、この水性液体吸収媒体の場合には吸収媒体）が水を含むことを意味するものと解釈される。
【００２２】
「除湿」とは、「少なくとも部分的に水を除去すること」を意味するものと解釈される。
【００２３】
「少なくとも部分的」とは、本発明との関連で、「一部又は全部」を意味するものと解釈される。
【００２４】
したがって、「湿ったガス混合物Ｇ」は、本発明との関連で、ガス混合物Ｇが、水、好ましくは水蒸気（「水蒸気」とは、気体状態の水を意味するものと解釈される）を含み、かつ、この組成は、その他の点で特に限定を受けないことを意味するものと解釈される。この湿ったガス混合物の水含有率は、特別な限定を受けることはないが、特に０．０１体積％〜９９．９９体積％である（「体積％」は、湿ったガス混合物Ｇの全体積を基準とした水蒸気の体積を表す）。湿ったガスＧの組成は、その他の点で、本発明による方法の適用に依存して変化してよい。湿ったガス混合物Ｇは、特に、湿った天然ガス、湿った空気（これは、湿った室内空気又は吸収式冷凍機中での水の蒸発から生じる湿った空気であってよい）、好ましくは湿った空気から選択される。湿った天然ガスについての水含有率は、特に、０．０１体積％〜１５．００体積％であり、湿った空気についての水含有率は、特に、湿った室内空気の場合に０．０１体積％〜１５．００体積％であり、又は吸収式冷凍機中での水の蒸発から生じる湿った空気に関する場合に好ましい範囲は、特に９５．００体積％〜９９．９９体積％である。
【００２５】
本発明による方法は、少なくとも部分的に、構造物の鋼材料からなる表面Ｏst（本発明との関連で、Ｏstは、「構造物の鋼材料からなる表面」を省略している）を備え、かつＡVE、ＡVE1、ＡVE2からなる群から選択される水性液体吸収媒体の少なくとも１種が、構造物の鋼材料からなる表面Ｏstと少なくとも１つの接触面を介して接触する装置Ｖ1中で実施される。
【００２６】
特に、次の構成要素を備えた装置Ｖ1を使用してよい：
（ｉ）湿ったガス混合物と水性液体吸収媒体ＡVEとを接触するために設置された少なくとも１つの水吸収ユニットＷabs1、
（ｉｉ）熱交換器Ｗx1を備え、かつ水性液体吸収媒体ＡVEから水を少なくとも部分的に除去するために設置された少なくとも１つの水脱着ユニットＷdes1、
（ｉｉｉ）及び、水吸収ユニットＷabs1を水脱着ユニットＷdes1と接続し、かつ水性液体吸収媒体ＡVEを循環させることができる循環路Ｕ1。
【００２７】
水吸収ユニットＷabs1は、本発明による方法の工程ａ）を特に実施する構成要素である。使用可能な水吸収ユニットＷabs1は、特に当業者に公知の水吸収器を備える。この吸収器は、水性液体吸収媒体ＡVEの表面積を増大させ、かつ同時に水の吸収の間に、水吸収器中での水性液体吸収媒体ＡVEのできる限り長い滞留時間を達成する原理に基づく。特に、ここでは、充填層、噴霧塔、流下薄膜、気泡塔、段塔、湿式スクラバ（例えばベンチュリスクラバ）、攪拌槽及びこれらの吸収器の組み合わせの群から選択された水吸収器を使用することができる。特に、水吸収器として、流下薄膜、特に多管式流下薄膜を使用することが好ましい。この水吸収ユニットＷabs1は、特に、水性液体吸収媒体ＡVEを冷却可能にするために設置された付加的な熱交換器Ｗz1を備えていてもよい。
【００２８】
熱交換器Ｗx1を備えた水脱着ユニットＷdes1は、本発明による方法の工程ｂ）を特に実施するユニットである。この水脱着ユニットＷdes1は、水を含む液体吸収媒体ＡVE（特にＡVE1）に熱を供給し、水を含む液体吸収媒体ＡVE（特にＡVE1）の表面積を増大させ、同時に水脱着ユニット中での水を含む液体吸収媒体ＡVE（特にＡVE1）のできる限り長い滞留時間を達成する原理に基づく。
【００２９】
熱交換器Ｗx1を備えた使用可能な水脱着ユニットＷdes1は、特に、当業者に公知の熱交換器と水脱着器との組み合わせを備え、特に、上流側の熱交換器、特に多管式熱交換器、平板式熱交換器を備えた水平式管型蒸発器を備える。更に、熱交換器Ｗx1を備えた水脱着ユニットＷdes1は、組込型熱交換器を備えた水脱着器であってもよい。このような組込型熱交換器を備えた水脱着器は、特に、上昇式薄膜蒸発器、垂直長管型蒸発器、垂直短管型蒸発器、強制循環型蒸発器、攪拌式薄膜蒸発器である。水脱着ユニットＷdes1として、流下薄膜、特に多管式流下薄膜を使用することが特に好ましい。
【００３０】
循環路Ｕ1は、特に、本発明による方法の工程ａ）からのＡVE1を、水吸収ユニットＷabs1から水脱着ユニットＷdes1へ送り、及び、更に好ましくは、特に本発明による方法を連続式に実施する場合に、付加的に、本発明による方法の工程ｂ）からのＡVE2を、水吸収ユニットＷdes1から水脱着ユニットＷabs1へ送る。
【００３１】
この循環路Ｕ1は、特に、導管、特にチューブ、ホースからなる群から選択される導管である。
【００３２】
更に好ましい実施態様の場合に、循環路Ｕ1は、また、ポンプを備える。
【００３３】
本発明による方法の第１の工程は、湿ったガス混合物Ｇを、
【化２】
2017221940.tif 000004
の構造（Ｉ）の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含む水性液体吸収媒体ＡVEと接触させることを含む。この接触は、当業者に公知である任意の方法で、特に水吸収ユニットＷabs1中で行われてよい。この接触は、吸収媒体ＡVEが、湿ったガス流Ｇから、少なくとも部分的に湿分、すなわち水を吸収して、水性液体吸収媒体ＡVEと比べて高められた水含有率を示す水性液体吸収媒体ＡVE1と、湿ったガス混合物Ｇと比べて相対的に低い水含有率を示すガス混合物Ｇ1とを提供することを引き起こす。
【００３４】
できるだけ多くの湿分を湿ったガス混合物Ｇから吸収するために、湿ったガス混合物Ｇの接触の間に、吸収媒体ＡVEを冷却することが好ましい。これは、例えば、水吸収ユニットＷabs1中の付加的な熱交換器Ｗz1を介して達成してよい。湿ったガス混合物Ｇの接触の間の吸収媒体ＡVEの温度は、例えば、好ましくは２℃〜１００℃、好ましくは３℃〜８０℃、より好ましくは４℃〜５０℃、更により好ましくは５℃〜３０℃の範囲にある。
【００３５】
吸収媒体ＡVEは、水、及び
【化３】
2017221940.tif 000005
の構造（Ｉ）の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含み、
Ｑ+は、１，３−ジアルキルイミダゾリウムカチオンであり、ここで、特にアルキル基は、互いに無関係に、１〜１０の炭素原子を有し、
Ａ-は、Ｒ*ＣＯＯ-、Ｒ′ＳＯ3-、ＨＳＯ4-、Ｒ″ＳＯ4-からなる群から選択されるアニオンであり、ここで、Ｒ*、Ｒ′、Ｒ″、ＲA、ＲB、ＲC、Ｒ1、Ｒ2、Ｒ3は、互いに無関係に、特に１〜１０の炭素原子を有するアルキル基であり、
かつ、Ｍ+は、アルカリ金属イオン、好ましくはＬｉ+、Ｋ+又はＮａ+、より好ましくはＫ+又はＮａ+である。
【００３６】
本発明による方法の好ましい実施態様の場合に、塩Ｓは、Ｑ+Ａ-、Ｑ+（Ｒ1Ｏ）2ＰＯ2-からなる群から選択され、Ｑ+は、ジアルキルイミダゾリウムカチオンであり、ここで、アルキル基は、互いに無関係に、１〜６、好ましくは１〜４、より好ましくは１又は２の炭素原子を有し、Ａ-は、Ｒ*ＣＯＯ-、Ｒ′ＳＯ3-、Ｒ″ＳＯ4-からなる群から選択されるアニオンであり、ここで、Ｒ*、Ｒ1、Ｒ′、Ｒ″、ＲA、ＲB、ＲCは、互いに無関係に、１〜６、好ましくは１〜４、より好ましくは１又は２の炭素原子を有するアルキル基である。
【００３７】
本発明による方法のより好ましい実施態様の場合に、塩Ｓは、一般式Ｑ+（Ｒ1Ｏ）2ＰＯ2-を示し、Ｑ+は、ジアルキルイミダゾリウムカチオンであり、ここで、アルキル基は、互いに無関係に、メチル又はエチルであり、Ｒ1、ＲA、ＲB、ＲCは、互いに無関係に、メチル又はエチルである。
【００３８】
本発明による方法の更により好ましい実施態様の場合に、塩Ｓは、一般式Ｑ+（Ｒ1Ｏ）2ＰＯ2-を示し、Ｑ+は、１，３−ジメチルイミダゾリウム、１，３−ジエチルイミダゾリウム、１−エチル−３−メチルイミダゾリウムからなる群から選択され、ＲA、ＲB、ＲC、Ｒ1は、メチル又はエチルである。
【００３９】
本発明による方法の上述の実施態様の全てにおいて、ＲA、ＲB、ＲCは、互いに無関係に、メチル、エチルから選択される場合が更に特に好ましく、更により好ましくはＲA＝ＲB＝ＲC＝メチル又はＲA＝ＲB＝ＲC＝エチル、特に好ましくはＲA＝ＲB＝ＲC＝エチルである。
【００４０】
これは、意外にも、少なくとも１つのエチル基を有するイミダゾリウム塩が、特に小さな接触角を示し、それにより特に良好な表面の濡れを保証することが見出されたためである。これは、比較的大きな接触面積を生じさせ、それにより濡れていない空間は少なくなり、それにより装置Ｖ1内部での伝熱を改善し、それにより特に効果的なプロセスも生じさせる。
【００４１】
液体吸収媒体ＡVEは、水性であり、つまり水を含み、したがって水溶液である。
【００４２】
特に、水性液体吸収媒体ＡVE中で、構造（Ｉ）の全てのトリアルキルホスファートと全ての塩Ｓとの全質量は、前記水溶液の全質量を基準として、６５質量％〜９５質量％の範囲にある。ＡVE中で、構造（Ｉ）の全てのトリアルキルホスファートと全ての塩Ｓの全質量が、水溶液の全質量を基準として、７０質量％〜９０質量％の範囲にあることが更により好ましく、更により好ましくは７５質量％〜８７質量％の範囲にある。
【００４３】
本発明による方法において、吸収媒体ＡVE中での構造（Ｉ）の全てのトリアルキルホスファートの塩Ｓに対する比率は、更に制限されない。しかしながら、本発明による方法において、構造（Ｉ）の全てのトリアルキルホスファートの全質量の、全ての塩Ｓの全質量に対する比率が、１：９９９９〜１：９、より好ましくは１：９９９９〜１：９９、更により好ましくは１：９９９９〜１：９９９の範囲にある吸収媒体ＡVEを使用することが好ましい。
【００４４】
本発明による方法の第１の工程で得られ、かつ湿ったガス混合物Ｇと比べて相対的に低い水含有率を示すガス混合物Ｇ1は、除湿されたガス流を表し、これは、用途に応じて、除湿された空気の形で生活空間又は作業空間に戻すことができるか、又は天然ガスの場合には発電に供給することができる。
【００４５】
本発明による方法の第１の工程で得られる水性液体吸収媒体ＡVE1は、水性液体吸収媒体ＡVEと比べて高められた水含有率を示す。ＡVE1は、これに含まれる構造（Ｉ）のトリアルキルホスファートに関して、及びこれに含まれる塩Ｓに関して、ＡVEと同じであり、かつ好ましくはその水含有率によってのみ区別されることが認識されるであろう。
【００４６】
本発明による方法の第２の工程は、次いで、水性液体吸収媒体ＡVE1から水を少なくとも部分的に除去して、水性液体吸収媒体ＡVE1と比べて相対的に低い水含有率を示す水性液体吸収媒体ＡVE2を得ることを含む。
【００４７】
これは、特に、更に、水性液体吸収媒体ＡVE1に熱を供給することを含む。熱の供給及び少なくとも部分的な除去は、当業者に公知の任意の方法で、特に熱交換器Ｗx1を備えた水脱着ユニットＷdes1中で行ってよい。水性液体吸収媒体ＡVE1からの水の少なくとも部分的な除去は、水性液体吸収媒体ＡVE1と比べて相対的に低い水含有率を示す水性液体吸収媒体ＡVE2を提供する。
【００４８】
水性液体吸収媒体ＡVE2は、これに含まれる構造（Ｉ）のトリアルキルホスファートに関して、及びこれに含まれる塩Ｓに関して、ＡVE1と同じであり、かつ好ましくはその水含有率によってのみ区別されることが認識されるであろう。
【００４９】
本発明による方法の本質的な特徴は、装置Ｖ1が少なくとも部分的に、構造物の鋼材料からなる表面Ｏst（本発明との関連で、Ｏstは、「構造物の鋼材料からなる表面」を省略している）を備えていることである。
【００５０】
本発明との関連で、「構造物の鋼材料」とは、特に、鉄の質量分率が、存在する他の元素のいずれの質量分率よりも大きい任意の鉄合金を意味するものと解釈される。構造物の鋼材料中の鉄の割合は、好ましくは＞５０質量％、より好ましくは≧６０質量％、更により好ましくは≧７０質量％、更により好ましくは≧８０質量％、更により好ましくは≧９９質量％である。
【００５１】
構造物の鋼材料は、本発明の場合に、鉄に加えて更に、特に、ニッケル、クロム、バナジウム、モリブデン、ニオブ、タングステン、コバルト、マグネシウム、マンガン、ケイ素、亜鉛、鉛、銅、チタンからなる群から選択される、より好ましくはニッケル、クロム、バナジウム、モリブデン、ニオブ、タングステン、コバルト、マグネシウム、マンガン、チタンからなる群から選択される少なくとも１種の合金金属、特にクロムを含み、ここで、これは、更により好ましくは、１０．５質量％より大きくかつ５０質量％より小さい、構造物の鋼材料中の質量分率を示す。
【００５２】
同時に、構造物の鋼材料中の炭素含有率が、常に＜２．０６質量％である場合が更により好ましく、≦１．２質量％である場合が更により好ましい。
【００５３】
構造物の鋼材料中の鉄、合金金属（例えばクロム）及び炭素の含有率の合計が、１００質量％を超えてはならないことは認識されるであろう。
【００５４】
構造物の鋼材料は、特に、鍛造合金又は鋳造合金の形であってよい。
【００５５】
本発明による方法の他の本質的な特徴は、装置Ｖ1中で、ＡVE、ＡVE1、ＡVE2からなる群から選択される水性液体吸収媒体の少なくとも１種が、構造物の鋼材料からなる表面Ｏstと、少なくとも１つの接触面を介して接触することにある。これは、特別な水性液体吸収媒体ＡVE、ＡVE1又はＡVE2が、この接触面で、構造物の鋼材料からなる表面Ｏstと直接接触していることを意味する。本発明との関連で、「直接接触している」とは、特に「濡れる」の意味であると解釈される。よって、ＡVE、ＡVE1、ＡVE2からなる群から選択される水性液体吸収媒体と、接触面中に含まれる構造物の鋼材料とが、直接接触していることが認識されるであろう。これは、意外にも、本発明による吸収媒体の接触角が特に小さく、これによりこの媒体が水性である場合に特に良好な伝熱を保証することが見出されたためである。
【００５６】
本発明による実施態様の場合に、装置Ｖ1が使用され、かつ装置Ｖ1は次の構成要素：
（ｉ）湿ったガス混合物と水性液体吸収媒体ＡVEとを接触するために設置された少なくとも１つの水吸収ユニットＷabs1、
（ｉｉ）熱交換器Ｗx1を備え、かつ水性液体吸収媒体ＡVEから水を少なくとも部分的に除去するために設置された少なくとも１つの水脱着ユニットＷdes1、
（ｉｉｉ）及び、水吸収ユニットＷabs1を水脱着ユニットＷdes1と接続し、かつ水性液体吸収媒体ＡVEを循環させることができる循環路Ｕ1を備え、
ＡVE、ＡVE1、ＡVE2からなる群から選択される水性液体吸収媒体が、構造物の鋼材料からなる表面Ｏstと接触する接触面は、特に、水吸収ユニットＷabs1、水脱着ユニットＷdes1、循環路Ｕ1の群から選択される構成要素の少なくとも１つ中に、好ましくは、水吸収ユニットＷabs1、水脱着ユニットＷdes1の群から選択される構成要素の少なくとも１つ中に配置されている。
【００５７】
これは、意外にも、構造（Ｉ）の少なくとも１種のトリアルキルホスファートと本発明による少なくとも１種の塩Ｓとの混合物が、構造物の鋼材料の特に良好な濡れを示し、それにより特に良好な伝熱を保証し、それによりＡVE、ＡVE1、ＡVE2からなる群から選択される水性液体吸収媒体の１つが構造物の鋼材料からなる表面Ｏstと直接接触する構造物の鋼材料からなる表面Ｏstを備えた装置Ｖ1中の吸収媒体として特に適していることが見出されたためである。
【００５８】
更に好ましい実施態様の場合に、本発明による方法は、連続式で行われる。これは、特に、工程ｂ）に引き続き、工程ａ）及びｂ）が少なくとも１回実施され、かつ各々の場合に付加的に実施された工程ａ）で使用された水性液体吸収媒体ＡVEは、少なくとも部分的に、直前に実施された工程ｂ）から得られた水性液体吸収媒体ＡVE2であり、つまり、特に、各々の場合に、付加的に実施された工程ａ）中で使用された水性液体吸収媒体ＡVEの水含有率は、直前の工程ｂ）からの水性液体吸収媒体ＡVE2の水含有率と同じであることを意味するものと解釈される。
【００５９】
この実施態様は、水性液体吸収媒体ＡVE2からの熱により水性液体吸収媒体ＡVE1が加熱されることを含む場合が更により好ましい。これは、特に、多管式熱交換器及び平板型熱交換器からなる群から選択される付加的な熱交換器Ｗy1中で行ってよい。これにより、本発明による方法を、特にエネルギー効率の良い形で実施することが可能になる。
【００６０】
本発明は、また、別の態様において、構成要素
（ｉ）
【化４】
2017221940.tif 000006
の構造（Ｉ）の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含む、水性液体吸収媒体ＡVO、
（ｉｉ）湿ったガス混合物と水性液体吸収媒体ＡVOとを接触するために設置された少なくとも１つの水吸収ユニットＷabs2、
（ｉｉｉ）熱交換器Ｗx2を備え、かつ水性液体吸収媒体ＡVOから水を少なくとも部分的に除去するために設置された少なくとも１つの水脱着ユニットＷdes2、
（ｉｖ）及び、水吸収ユニットＷabs2を水脱着ユニットＷdes2と接続し、かつ水性液体吸収媒体ＡVOを循環させることができる循環路Ｕ2を備え、
ここで、水吸収ユニットＷabs2、水脱着ユニットＷdes2、循環路Ｕ2の構成要素の少なくとも１つが、少なくとも部分的に、構造物の鋼材料からなる表面Ｏstを備え、かつ
ここで、装置Ｖ2中に、水性液体吸収媒体ＡVOが構造物の鋼材料からなる表面Ｏstと接触する少なくとも１つの接触面が配置された、湿ったガス混合物、特に湿った空気を除湿する装置Ｖ2において、
Ｑ+は、ジアルキルイミダゾリウムカチオンであり、ここで、特にアルキル基は、互いに無関係に、１〜１０の炭素原子を有し、
Ａ-は、Ｒ*ＣＯＯ-、Ｒ′ＳＯ3-、ＨＳＯ4-、Ｒ″ＳＯ4-からなる群から選択されるアニオンであり、Ｒ*、Ｒ′、Ｒ″、ＲA、ＲB、ＲC、Ｒ1、Ｒ2、Ｒ3は、互いに無関係に、特に１〜１０、好ましくは１〜８、より好ましくは１〜６、更により好ましくは１〜４、更により好ましくは１又は２の炭素原子を有するアルキル基であり、
かつ、Ｍ+は、アルカリ金属イオン、好ましくはＬｉ+、Ｋ+又はＮａ+、より好ましくはＫ+又はＮａ+であることを特徴とする、湿ったガス混合物、特に湿った空気を除湿する装置Ｖ2に関する。
【００６１】
本発明による装置Ｖ2は、湿ったガス混合物、特に湿った空気を除湿するために適している。この装置は、次の構成要素を備える：
第１の構成要素として、本発明による装置Ｖ2は、水性液体吸収媒体ＡVOを含み、この水性液体吸収媒体ＡVOは、
【化５】
2017221940.tif 000007
の構造（Ｉ）の少なくとも１種のトリアルキルホスファートと、Ｑ+Ａ-、Ｑ+（Ｒ1Ｏ）2ＰＯ2-、（Ｑ+）2Ｒ2ＯＰＯ32-、Ｑ+Ｍ+Ｒ3ＯＰＯ32-からなる群から選択される少なくとも１種の塩Ｓとの混合物を含み、Ｑ+は、ジアルキルイミダゾリウムカチオンであり、ここで、特にアルキル基は、互いに無関係に、１〜１０の炭素原子を有し、
Ａ-は、Ｒ*ＣＯＯ-、Ｒ′ＳＯ3-、ＨＳＯ4-、Ｒ″ＳＯ4-からなる群から選択されるアニオンであり、Ｒ*、Ｒ′、Ｒ″、ＲA、ＲB、ＲC、Ｒ1、Ｒ2、Ｒ3は、互いに無関係に、特に１〜１０の炭素原子を有するアルキル基であり、
かつ、Ｍ+は、アルカリ金属イオン、好ましくはＬｉ+、Ｋ+又はＮａ+、より好ましくはＫ+又はＮａ+である。
【００６２】
本発明による装置Ｖ2の好ましい実施態様の場合に、吸収媒体ＡVO中で、塩Ｓは、Ｑ+Ａ-、Ｑ+（Ｒ1Ｏ）2ＰＯ2-からなる群から選択され、Ｑ+は、ジアルキルイミダゾリウムカチオンであり、ここで、アルキル基は、互いに無関係に、１〜６、好ましくは１〜４、より好ましくは１又は２の炭素原子を有し、かつ、Ａ-は、Ｒ*ＣＯＯ-、Ｒ′ＳＯ3-、Ｒ″ＳＯ4-からなる群から選択されるアニオンであり、Ｒ*、Ｒ1、Ｒ′、Ｒ″、ＲA、ＲB、ＲCは、互いに無関係に、１〜６、好ましくは１〜４、より好ましくは１又は２の炭素原子を有するアルキル基である。
【００６３】
本発明による装置Ｖ2のより好ましい実施態様の場合に、吸収媒体ＡVO中で、塩Ｓは、一般式Ｑ+（Ｒ1Ｏ）2ＰＯ2-を示し、Ｑ+は、ジアルキルイミダゾリウムカチオンであり、ここで、アルキル基は、各々無関係に、メチル又はエチルであり、Ｒ1、ＲA、ＲB、ＲCは、互いに無関係に、メチル又はエチルである。
【００６４】
本発明による装置Ｖ2の更により好ましい実施態様の場合に、吸収媒体ＡVO中で、塩Ｓは、一般式Ｑ+（Ｒ1Ｏ）2ＰＯ2-を示し、Ｑ+は、１，３−ジメチルイミダゾリウム、１，３−ジエチルイミダゾリウム、１−エチル−３−メチルイミダゾリウムからなる群から選択され、ＲA、ＲB、ＲC、Ｒ1は、メチル又はエチルである。
【００６５】
本発明による装置Ｖ2の上述の実施態様の全ての場合に、吸収媒体ＡVO中で、ＲA、ＲB、ＲCは、互いに無関係に、メチル、エチルから選択される場合が更に特に好ましく、より好ましくはＲA＝ＲB＝ＲC＝メチル又はＲA＝ＲB＝ＲC＝エチル、特に好ましくはＲA＝ＲB＝ＲC＝エチルである。
【００６６】
これは、意外にも、Ｒ＝エチル基を示すイミダゾリウム塩が、特に小さな接触角を示し、それにより特に良好な表面の濡れを保証することが見出されたためである。これは、比較的大きな接触面積を生じさせ、それにより濡れていない空間は少なくなり、それにより装置Ｖ2内部での熱伝達は改善する結果となる。
【００６７】
液体吸収媒体ＡVOは、水性であり、つまり水を含み、したがって水溶液である。
【００６８】
特に、本発明による装置Ｖ2内で、水性液体吸収媒体ＡVO中で、構造（Ｉ）の全てのトリアルキルホスファート及び全ての塩Ｓの全質量は、水溶液の全質量を基準として、６５質量％〜９５質量％の範囲にある。ＡVO中で、構造（Ｉ）の全てのトリアルキルホスファートと全ての塩Ｓとの全質量が、水溶液の全質量を基準として７０質量％〜９０質量％の範囲にあることが更により好ましく、更により好ましくは７５質量％〜８７質量％の範囲にある。
【００６９】
本発明による装置Ｖ2において、吸収媒体ＡVO中での構造（Ｉ）の全てのトリアルキルホスファートの塩Ｓに対する比率は、更に限定されない。しかしながら、本発明による装置Ｖ2において、構造（Ｉ）の全てのトリアルキルホスファートの全質量の、全ての塩Ｓの全質量に対する比率が、１：９９９９〜１：９、より好ましくは１：９９９９〜１：９９、更により好ましくは１：９９９９〜１：９９９の範囲にある吸収媒体ＡVOを使用することが好ましい。
【００７０】
第２の構成要素として、本発明による装置Ｖ2は、湿ったガス混合物を水性液体吸収媒体ＡVOと接触させるために設置された水吸収ユニットＷabs2を備える。この水吸収ユニットＷabs2は、特に、水性液体吸収媒体ＡVOを冷却可能にするために設置された付加的な熱交換器Ｗz2を備えていてよい。この種の使用可能な水吸収ユニットＷabs2は、特に当業者に公知の水吸収器を備える。この吸収器は、水性液体吸収媒体ＡVOの表面積を増大させ、かつ同時に水の吸収の間に、水吸収器中での水性液体吸収媒体ＡVOのできる限り長い滞留時間を達成する原理に基づく。特に、ここでは、充填層、噴霧塔、流下薄膜、気泡塔、段塔、湿式スクラバ（例えばベンチュリスクラバ）、攪拌槽及びこれらの吸収器の組み合わせの群から選択された水吸収器を使用することができる。特に、水吸収器として、流下薄膜、特に多管式流下薄膜を使用することが好ましい。
【００７１】
第３の構成要素として、本発明による装置Ｖ2は、熱交換器Ｗx2を備え、かつ水性液体吸収媒体ＡVOから水を少なくとも部分的に除去するために設置された水脱着ユニットＷdes2を備える。特に、このために、当業者に公知の熱交換器と水脱着器との組み合わせを使用してよい。水脱着ユニットＷdes2は、水性液体吸収媒体ＡVOに熱を供給し、水性液体吸収媒体ＡVOの表面積を増大させ、同時に水脱着ユニット中での水性液体吸収媒体ＡVOのできる限り長い滞留時間を達成する原理に基づく。
【００７２】
熱交換器Ｗx2を備えた使用可能な水脱着ユニットＷdes2は、特に、当業者に公知の熱交換器と水脱着器との組み合わせを備え、特に、上流側の熱交換器、特に多管式熱交換器、平板式熱交換器を備えた水平式管型蒸発器を備える。更に、熱交換器Ｗx2を備えた水脱着ユニットＷdes2は、組込型熱交換器を備えた水脱着器であってもよい。このような組込型熱交換器を備えた水脱着器は、特に、上昇式薄膜蒸発器、垂直長管型蒸発器、垂直短管型蒸発器、強制循環型蒸発器、攪拌式薄膜蒸発器である。水脱着ユニットＷdes2として、流下薄膜、特に多管式流下薄膜を使用することが特に好ましい。
【００７３】
第４の構成要素として、本発明による装置Ｖ2は、水吸収ユニットＷabs2を水脱着ユニットＷdes2と接続し、かつ水性液体吸収媒体ＡVOを循環させることができる循環路Ｕ2を備える。この循環路Ｕ2は、好ましくは、導管、更により好ましくはチューブ、ホースからなる群から選択される導管である。更に好ましい実施態様の場合に、循環路Ｕ2は、また、ポンプを備える。
【００７４】
本発明による装置Ｖ2の本質的な特徴は、この装置が少なくとも部分的に、構造物の鋼材料からなる表面Ｏst（本発明との関連で、Ｏstは、「構造物の鋼材料からなる表面」を省略している）を備えていることである。
【００７５】
本発明による装置Ｖ2の他の本質的な特徴は、この装置中に、水性液体吸収媒体ＡVOが、構造物の鋼材料からなる表面Ｏstと接触する接触面が配置されることである。これは、この接触面で、この水性液体吸収媒体ＡVOが、構造物の鋼材料からなる表面Ｏstと直接接触していることを意味すると解釈される。本発明との関連で、「直接接触している」とは、特に「濡れる」の意味であると解釈される。よって、水性液体吸収媒体ＡVOと、接触面中に含まれる構造物の鋼材料とが、直接接触していることが認識されるであろう。
【００７６】
好ましい実施態様の場合に、装置Ｖ2は、更なる熱交換器Ｗy2を（水脱着ユニットＷdes2中に備えられた熱交換器Ｗx2に対して更に）備える。熱交換器Ｗy2は、水吸収ユニットＷabs2から水脱着ユニットＷdes2へ送られる水性液体吸収媒体ＡVOに、水性液体吸収媒体ＡVOから熱が供給可能であるように設置され、この媒体は、水脱着ユニットＷdes2から離れるように案内される。これは、特に、熱交換器Ｗy2として、特に多管式熱交換器、平板型熱交換器から選択される熱交換器を使用することによって保証することができる。
【００７７】
更に好ましい実施態様の場合に、装置Ｖ2は、吸収ヒートポンプの一部である。この吸収ヒートポンプは、また、更なる構成要素として、凝縮器、蒸発器及び冷却剤を備え、ここで冷却剤は水である。
【００７８】
この凝縮器は、特に、導管を介して水脱着ユニットＷdes2と接続されていて、かつ水脱着ユニットＷdes2中で水性液体吸収媒体ＡVOから少なくとも部分的に除去された水を凝縮するために設置されている。この凝縮器は、好ましくは冷却水循環路を備えている。
【００７９】
この蒸発器は、特に、導管（この導管は、絞り手段を備えていてよい）を介して凝縮器と接続されていて、かつ更なる導管を介して水吸収ユニットＷabs2に接続されていて、かつ凝縮器から凝縮された水を蒸発させるために設置されている。この蒸発器は、好ましくは、また、できる限り低い温度で凝縮水の蒸発を可能にするために、＜１ｂａｒ、より好ましくは＜０．１ｂａｒの圧力を示す。この蒸発器は、更に好ましくは、付加的に、熱を取り出し、かつ凝縮された水を蒸発させることができる装置（例えば、水を蒸発させる空間に冷却剤を通す冷却剤導管）を備えていてよい。
【００８０】
以下に説明する図１及び２は、本発明による方法及び本発明による装置の好ましい実施態様を示す。
【００８１】
図１に示した装置Ｖ2は、導管＜１０１＞が導入されかつ導管＜１０２＞が導出される水吸収ユニットＷabs2＜１０３＞（任意付加的に熱交換器Ｗz2＜１０４＞を備える）と、熱交換器Ｗx2＜１０８＞と水脱着器＜１０９＞を備えかつ導管＜１１１＞が導入されかつ導管＜１１０＞、＜１１２＞及び＜１１３＞が導出される水脱着ユニットＷdes2と、導管＜１０６＞、＜１１１＞及び＜１１３＞又は＜１０６＞、＜１１１＞、＜１１２＞及び＜１０５＞から形成された循環路Ｕ2（それぞれの場合に、任意に、導管＜１１４＞を備える）とを備える。図１の装置は、任意に、導管＜１０６＞及び＜１１２＞が導入されかつ導管＜１０５＞及び＜１１１＞が導出される更なる熱交換器Ｗy2＜１０７＞を備えていてもよい。更に、装置Ｖ2は、水性液体吸収媒体ＡVOも含む。この媒体は、上述の構成要素の水吸収ユニットＷabs2、水脱着ユニットＷdes2、循環路Ｕ2の１つ以上の中に含まれている。水吸収ユニットＷabs2＜１０３＞は、任意に、付加的熱交換器Ｗz2＜１０４＞を備えていてもよい。装置Ｖ2、特に水吸収ユニットＷabs2、水脱着ユニットＷdes2、循環路Ｕ2からなる群から選択される構成要素の少なくとも１つは、少なくとも部分的に、構造物の鋼材料からなる表面Ｏstを備え、かつ水性液体吸収媒体ＡVOが、構造物の鋼材料からなる表面Ｏstと接触する少なくとも１つの接触面がある。任意に、循環路Ｕ2は、付加的に、水性液体吸収媒体を運ぶためのポンプを備えていてもよい。
【００８２】
装置Ｖ1は、吸収媒体ＡVOなしの装置Ｖ2に対応し、ここで、図１及び図２についての図の記載中で、用語Ｕ2、Ｗabs2、Ｗdes2、Ｗx2、Ｗy2、Ｗz2は、それぞれＵ1、Ｗabs1、Ｗdes1、Ｗx1、Ｗy1及びＷz1に置き換えられる。
【００８３】
本発明による方法を、ここで、図１を用いて装置Ｖ1に関して例示的に記載する：
湿ったガス混合物Ｇの流れ（この流れは、例えば、湿った空気、湿った天然ガス又は吸収式冷凍機の蒸発器に由来する湿ったガス混合物であってよく、これらの選択に関しては図２にも当てはまる）は、導管＜１０１＞を介して水吸収ユニットＷabs1＜１０３＞に供給され、かつ導管＜１０５＞を介して又は導管＜１１３＞を介して水吸収ユニットＷabs1＜１０３＞に供給される水性液体吸収媒体ＡVEと接触される。この水吸収ユニットＷabs1＜１０３＞は、Ｗabs1について上述に列挙された任意の水吸収器、特に流下薄膜であってよい。水吸収ユニットＷabs1＜１０３＞中で、導管＜１０１＞を介して供給されたガス混合物Ｇを、導管＜１０５＞又は導管＜１１３＞を介して供給された水性液体吸収媒体ＡVEと接触させることは、水性液体吸収媒体ＡVEと比べて高められた水含有率を示す水性液体吸収媒体ＡVE1を提供し、かつガス混合物Ｇ1の流れは、導管＜１０２＞を介して搬出され、ここで、Ｇ1は、湿ったガス混合物Ｇと比べて相対的に低い水含有率を示す。用途に依存して、Ｇ1は、特に、除湿された空気又は除湿された天然ガスである。水吸収ユニットＷabs1＜１０３＞は、任意に、付加的熱交換器Ｗz1＜１０４＞を備えていてもよい。好ましくは、導管＜１０６＞、＜１１１＞及び熱交換器Ｗy1＜１０７＞を介して（又は、熱交換器Ｗy1＜１０７＞が使用されていない場合には、導管＜１０６＞、＜１１１＞及び＜１１４＞を介して）、水性液体吸収媒体ＡVE1は、次いで、熱交換器Ｗx1＜１０８＞及び水脱着器＜１０９＞から構成された水脱着ユニットＷdes1に通される。水を含む液体吸収媒体ＡVE1に、更に、任意の熱交換器Ｗy1＜１０７＞中で熱が供給されてよい。水性液体吸収媒体ＡVE1から少なくとも部分的に水を除去することは、水脱着器＜１０９＞中で実施され、水性液体吸収媒体ＡVE1と比べて相対的に低い水含有率を示す水性液体吸収媒体ＡVE2を提供する。除去された水は、次いで、水脱着器＜１０９＞から、液体又は蒸気として、好ましくは蒸気として、導管＜１１０＞を介して搬出される。水性液体吸収媒体ＡVE2は、次いで、水脱着器＜１０９＞から搬出され、かつ水吸収ユニットＷabs1＜１０３＞に戻される。これは、直接、つまり図１に破線で示された導管＜１１３＞を介して行ってよい。あるいは、好ましくは、水性液体吸収媒体ＡVE2は、導管＜１１２＞を介して、任意の熱交換器Ｗy1＜１０７＞に供給されてもよく、ここで、導管＜１０６＞を介して任意の熱交換器Ｗy1＜１０７＞に供給された水性液体吸収媒体ＡVE1に、次いで導管＜１１２＞を介して任意の熱交換器Ｗy1＜１０７＞に供給された水性液体吸収媒体ＡVE2から熱が供給される。濃縮された水性液体吸収媒体ＡVE2が、導管＜１０５＞又は＜１１３＞を介して水吸収ユニットＷabs1に供給される場合に、この媒体は、新たなサイクルにおいてガス流を少なくとも部分的に除湿するためにＡVEとして再使用される。この方法において、図１による装置、好ましくは、水吸収ユニットＷabs1＜１０３＞（図１中でこのユニットは、熱交換器＜１０４＞を備える）、水脱着ユニットＷdes1（図１中でこのユニットは、熱交換器＜１０８＞を備える）、循環路Ｕ2（図１中では、導管＜１０６＞、＜１１１＞、＜１１３＞、又は＜１０６＞、＜１１１＞、＜１１２＞、＜１０５＞、かつ各々の場合に、任意に導管＜１１４＞に対応する）からなる群から選択される構成要素の少なくとも１つが、少なくとも部分的に、構成物の鋼材料からなる表面Ｏstを備え、かつこの装置中に、水性液体吸収媒体ＡVE1、ＡVE、ＡVE2の少なくとも１つが、構成物の鋼材料からなる表面Ｏstと接触する少なくとも１つの接触面が配置されていることが、本発明にとって本質的である。
【００８４】
図２は、装置Ｖ2が組み込まれている吸収式冷凍機を図式的に示す。構成要素＜１０１＞〜＜１１４＞は、図１に記載された装置Ｖ2についてと同じものを示す。更に、図２中の吸収式冷凍機は、導管＜１１０＞を介して水脱着ユニットＷdes2＜１０９＞と接続されている凝縮器＜２１１＞を備え、かつ、水脱着ユニットＷdes2中で水性液体吸収媒体ＡVOから少なくとも部分的に除去された水を凝縮するために設置されている。この凝縮器＜２１１＞は、好ましくは、また、冷却水を供給することができる熱交換器＜２１２＞を備える。
【００８５】
図２に示された吸収式冷凍機は、また、導管＜２１６＞（この導管＜２１６＞は、任意に絞り手段＜２１３＞を備えていてよい）を介して凝縮器＜２１１＞と接続し、かつ導管＜１０１＞を介して水吸収ユニットＷabs2と接続された蒸発器＜２１４＞を備える。蒸発器＜２１４＞は、凝縮器から凝縮された水を蒸発させるために設置されている。更に、蒸発器＜２１４＞は、更に好ましくは、媒体を供給する熱交換器＜２１５＞を備えていてもよく、この媒体から熱が取り出され、凝縮された水を蒸発させる（例えば、特に冷却剤として水を用いた冷却剤導管、この冷却剤は蒸発器＜２１４＞に通される）。
【００８６】
本発明による方法の実施態様（図２を用いて装置Ｖ1に関して以後に記載される）の場合に、蒸発器＜２１４＞に由来する湿ったガス混合物Ｇは、導管＜１０１＞を介して水吸収ユニットＷabs1＜１０３＞に通される。水脱着ユニットＷdes1で除去された水は、導管＜１１０＞を介して凝縮器＜２１１＞に供給され、そこで水は再凝縮される。この凝縮器中に取り付けられた熱交換器＜２１２＞としての冷却水循環路は、任意に同様にこのために使用される。凝縮された水は、次いで導管＜２１６＞を介して蒸発器＜２１４＞に供給され、ここで水の蒸発は、特に低圧で行われ、それにより冷却効果がもたらされる。これは、任意に、絞り手段＜２１３＞を用いて行うこともできる。これは、蒸発器＜２１４＞内での冷却作用を達成し、例えば、冷却剤を、熱交換器＜２１５＞を介して冷却することができる。生成された水蒸気は、次いで、導管＜１０１＞を介して水吸収ユニットＷabs1＜１０３＞に戻される。
【００８７】
以下の実施例は、本発明を説明することを意図しているが、本発明を決して限定するものではない。
【実施例】
【００８８】
本発明による実施例Ｅ１〜Ｅ３及び比較例Ｖ１を実施した。
【００８９】
１．  使用した薬品
ＥＭＩＭ ＤＥＰ（＝エチルメチルイミダゾリウムジエチルホスファート）は、Iolitecから入手した。
【００９０】
ＴＥＰ（＝トリエチルホスファート）は、Sigma Aldrichから入手した。
【００９１】
２．  実験手順
それぞれの溶液３滴を、３ｃｍ×７ｃｍの寸法及び３ｍｍの最大厚さを示す鋼板（鋼、純度＞９９．０％）上に滴下した。接触角の決定を、ＳＯＰ１８２７に従って実施した。この結果を次の表中に示す。
【００９２】
Ｖ１は、ＥＭＩＭ ＤＥＰと、水１０質量％の混合物を用いた比較試験であり、実施例Ｅ１、Ｅ２及びＥ３では、ＥＭＩＭ ＤＥＰと、水１０質量％と、それぞれＴＥＰ１０質量％、１質量％及び０．１質量％（質量％値は、常に混合物の全質量を基準とする）との混合物を分析した。
【００９３】
３．  結果
【表１】
2017221940.tif 000008
【００９４】
この結果は、トリアルキルホスファート（この場合、トリエチルホスファート）を含む本発明による吸収媒体（Ｅ１〜Ｅ３）が、先行技術の吸収媒体（Ｖ１）と比べて、鋼含有表面に対して小さな接触角を表すことを示す。これは、改善された表面の濡れを引き起こし、それにより本発明による方法及び本発明による装置においてより顕著でかつより有効な熱交換を引き起こす。
【図１】
2017221940.tif 000011
【図２】
2017221940.tif 000012